(57)【要約】【課題】納骨堂の内部に自然光を入射して、明るくすることで、従来のイメージを払拭して、温かみのあるガラス組み込み納骨堂を実現する。【解決手段】納骨室１１を形成する壁１５または天井の一部あるいは全部に、ガラスブロックまたは強化プラスチックを組み込んだ窓１３，１４を設け、納骨室１１の内部に自然光が入射するようにして、納骨室１１を明かるく温かみを持つようにする。また、ガラスブロックまたは強化プラスチックに、紫外線を防止する処理を施すことも可能であり、また、曇りガラス、擦りガラス、色付きプラスチックにすることで、直接納骨室１１の内部が見えないようにする。【選択図】図１
0003121716.tif 000002
【実用新案登録請求の範囲】
【請求項１】
石材またはコンクリート製の納骨室を形成する壁あるいは天井の一部ないし全部に、ガラスブロックあるいは強化プラスチックを組み込んだ窓を設け、納骨室内部に自然光または電灯の光が入射するように構成されることを特徴とするガラス組み込み納骨堂。
【請求項２】
請求項１に記載の納骨堂において、
前記ガラスブロックあるいは強化プラスチックには、曇りガラス、擦りガラス、あるいは色付きプラスチックを用いることで、納骨室の内部が直接見えないようにすることを特徴とするガラス組み込み納骨堂。
【請求項３】
請求項１または２に記載の納骨堂において、
前記ガラスブロックあるいは強化プラスチックには、紫外線を除去する処理が施されていることを特徴とするガラス組み込み納骨堂。
【請求項４】
請求項１〜３のいずれかに記載の納骨堂において、
前記納骨堂の納骨室の近傍ないし天井には、仏像，観音像または墓石等が建立されていることを特徴とするガラス組み込み納骨堂。
【考案の詳細な説明】
【技術分野】
【０００１】
本考案は、内部に自然光を取り込れ、暖かみのあるイメージを有するガラス組み込み納骨堂に関する。
【背景技術】
【０００２】
納骨堂は、永代供養塔、萬霊塔などとさまざまな呼び方があり、いずれも１つの納骨堂にたくさんの遺骨を納めることができる建造物（お墓）である。なお、納骨堂には、木造のお寺のようなイメージもあるが、ここでは主に石型の構造物を指す。
従来の納骨堂は、内部が暗く、お寺の境内や墓地の中、あるいは霊園の中にあり、電気を引くのが困難な場所が多かった。従って、納骨堂の前や周囲に明かりを灯すこともできなかった。
【０００３】
納骨堂の種類には、大きく分けて、例えば図４〜図７に示すように、地上の納骨堂に扉が設けられ、その中に多くの遺骨が納められているものと、図８〜図１１に示すように、地上には仏像や小さなお堂が設けられるだけで、地下に多くの遺骨が納められているものと、図１３、図１５に示すように、個々のお墓が別個にまとめて設置されるとともに、遺骨だけがまとめて地下または地上の石材構造の中に納められているものである。
【０００４】
これらの納骨堂は、地上のものも地下のものも、周囲が石またはコンクリートで囲まれており、通常は光が入射しないため、内部は真っ暗であった。そのため、じめじめしたイメージや暗くて寂しく、かつ冷たいイメージがあった。
最近では、納骨堂に雨や虫等の侵入を防止する墓石が提案されている（特開２００３−２７８４１０号公報（特許文献１参照）。これは、納骨堂を地下または地上の最下部に置かずに、碑石内に納骨室を形成し、納骨堂の周壁に納骨口を形成し、その納骨口を開閉する蓋を設けたものである。蓋は、内蓋と外蓋の２重にしている。しかし、この場合にも、単に納骨室を墓石の途中の石内に設けただけで、その構造は周囲が石やコンクリートで囲まれており、やはり暗くて寂しいイメージであることには変わりがない。
【０００５】
【特許文献１】特開２００３−２７８４１０号公報
【考案の開示】
【考案が解決しようとする課題】
【０００６】
このように、従来の納骨堂の内部は、じめじめしたイメージ、あるいは暗くて寂しく、かつ冷たいイメージがあった。
【０００７】
（目的）
本考案の目的は、納骨堂の内部に自然光を入射して、明るくすることで、従来のイメージを払拭して、温かみのあるガラス組み込み納骨堂を提供することである。
【課題を解決するための手段】
【０００８】
本考案のガラス組み込み納骨堂は、納骨堂を形成しているコンクリートまたは石材の一部に通常のガラスブロック、紫外線遮断用ガラス、あるいは強化プラスチックを組み込んだ構造とする。このように、ガラスブロックまたは強化プラスチックを組み込むことで、納骨堂の内部に自然光を入射して、明かるくすることにより、従来の暗いイメージを払拭して、明かるく温かみのある納骨堂にすることが可能になる。
【考案の効果】
【０００９】
本考案によれば、納骨堂を形成している石材やコンクリートの一部にガラスブロックや紫外線遮断用ガラス、あるいは強化プラスチックを組み込むことで、納骨堂内部に自然光が入射するため、内部を明かるくすることができ、明かるく温かみのある納骨堂にすることができる。また、紫外線遮断用ガラスを用いた場合には、内部に訪れた参拝者の身体に紫外線が当たらないので、参拝者の健康に役立つ。
【考案を実施するための最良の形態】
【００１０】
以下、本考案の実施例について、図面により詳細に説明する。
（実施例１）
図１は、本考明の実施例１に係る納骨堂の構造斜視図である。
図１において、１０は観音像、１１は納骨室、１２は納骨室の扉（引き戸、または観音開き）、１３はガラスブロックまたは強化プラスチックが組み込まれた光取り、１４はガラスブロックまたは強化プラスチックが組み込まれた窓、１５は納骨室を形成する石またはコンクリートの壁である。このように、図１では、納骨室が観音像の下方に配置され、観音像を拝むときには階段を上って手を合わせるが、納骨室に納骨箱を納めるとき、あるいは、納骨室内の納骨箱を直接拝むときには、納骨室の側面の扉１２を開いて、関係する納骨箱に手を合わせる。ガラスブロックまたは強化プラスチックは、曇りガラスあるいは擦りガラス、色付きの強化プラスチックを用いることで、納骨室の内部が直接見えないようにすることもできる。また、ガラスブロックまたは強化プラスチックには、任意の模様を入れることも可能である。例えば、動物の絵や仏像の絵や極楽浄土の絵を入れるなどが考えられる。また、紫外線を除去するガラスブロックまたは強化プラスチックを組み込むこともできる。これにより、納骨室に自然光が入射することで、室全体が明かるくなり、暗い感じが払拭され、明かるく暖みのある納骨堂にすることができる。
なお、夜には、自然光の代りに、納骨堂の傍に設けられた電灯の光あるいは蝋燭の光が入射することで、納骨室の内部が明かるくなる。
また、納骨室１１の天井の上に、観音像１０が建立されているが、それ以外に、仏像や墓石が建立されている場合もある。
【００１１】
（実施例２）
図２は、本考案の実施例２に係る納骨堂の構造斜視図である。
図２において、２０は観音像、２１は納骨室、２２は納骨室の扉（引き戸、または観音開き）、２３はガラスブロックまたは強化プラスチックが組み込まれた光取り、２４はガラスブロックまたは強化プラスチックが組み込まれた窓である。窓の形状が実施例１と異なるだけで、それ以外は全く同じである。
【００１２】
（実施例３）
図３は、本考案の実施例３に係る納骨堂の構造斜視図である。
図３において、３０は観音像、３１は納骨室、３２は納骨室を形成する石またはコンクリート製の柱、３３はガラスブロックまたは強化プラスチックが組み込まれた窓である。
図３の場合には、納骨室の内部に参拝者が入口から入ることができ、納骨室の中で納骨箱に向って直接手を合わせることができる。ガラスブロックまたは強化プラスチックが組み込まれた窓から光が入射するので、室内は明かるくなるので、暗い感じは払拭され、明かるく暖みのある納骨室となる。
この場合も、ガラスブロックまたは強化プラスチックは、曇りガラスあるいは擦りガラス、色付きの強化プラスチックを用いることで、納骨室の内部が直接見えないようにすることができる。また、ガラスブロックまたは強化プラスチックには、任意の模様を入れることも可能である。例えば、動物の絵や仏像の絵や極楽浄土の絵を入れるなどが考えられる。また、紫外線を除去するガラスブロックまたは強化プラスチックを組み込むこともできる。
【００１３】
（実施例４）
図４は、本考案の実施例４に係る納骨堂の構造斜視図である。
図４において、４０は仏像、４１は納骨室、４２はガラスブロックまたは強化プラスチックが組み込まれた窓である。ここでは、納骨室の断面が六角形であり、六面のうち一つ置きに窓を設けてもよく、また六面のうち一つないし二つの面のみを窓にしてもよい。
ガラスブロックまたは強化プラスチックは、曇りガラスあるいは擦りガラス、色付きの強化プラスチックを用いることで、納骨室の内部が直接見えないようにすることもできる。また、ガラスブロックまたは強化プラスチックには、任意の模様を入れることも可能である。例えば、動物の絵や仏像の絵や極楽浄土の絵を入れるなどが考えられる。また、紫外線を除去するガラスブロックまたは強化プラスチックを組み込むこともできる。これにより、納骨室に自然光が入射することで、室全体が明かるくなり、暗い感じが払拭され、明かるく暖みのある納骨堂にすることができる。
【００１４】
（実施例５）
図５は、本考案の実施例５に係る納骨堂の構造斜視図である。
図５において、５０は仏像または観音像等が納められた小建物、５１は納骨室、５２は納骨室を形成する石またはコンクリートの壁、５３はガラスブロックまたは強化プラスチックが組み込まれた窓である。この窓５３は、納骨室５１の入口となる扉の上に配置されているが、それ以外の部分、例えば側面の壁の一部に設けることもできる。
【００１５】
（実施例６）
図６は、本考案の実施例６に係る納骨堂の構造斜視図である。
図６において、６１は納骨室、６２は納骨室を形成する屋根、６３はガラスブロックまたは強化プラスチックが組み込まれた窓である。なお、ここでは、窓６３は納骨室の入口である扉の上に配置されているが、前面の石またはコンクリートの壁の一部を窓にすることもできる。
【００１６】
（実施例７）
図７は、本考案の実施例７に係る納骨堂の構造斜視図である。
図７において、７１は納骨室、７２は納骨室を形成する石またはコンクリートの壁、７３はガラスブロックまたは強化プラスチックが組み込まれた窓である。ここでは、窓７３は納骨室の入口である扉の上に配置されているが、前面または側面の石またはコンクリートの壁の一部を窓にすることもできる。
【００１７】
（実施例８）
図８は、本考案の実施例８に係る納骨堂の構造斜視図である。
図８において、８０は仏像または観音像等が納められた小建造物、８１は納骨室、８２は納骨室を形成する石またはコンクリートの壁、８３はガラスブロックまたは強化プラスチックが組み込まれた窓である。この場合、納骨堂への参拝者は階段を上って、納骨室の上から納骨箱に手を合わせることになる。なお、納骨室９１の後方に扉を設けて、後方から納骨室９１内に入るようにすることもできる。ここでは、窓が小建造物８０の側面と、納骨室の天井の一部に設けられているが、その他の位置に窓を付けることも可能である。これにより、納骨室全体が明かるくなり、温かみのある納骨室となる。
【００１８】
（実施例９）
図９は、本考案の実施例９に係る納骨堂の構造斜視図である。
図９において、９０は仏像または観音像等が納められた小建造物、９１は納骨室、９２は納骨室を形成する石またはコンクリートの壁、９３はガラスブロックまたは強化プラスチックが組み込まれた窓である。この窓は、ここでは納骨室９１の天井に設けられているが、その他の位置、例えば石またはコンクリートの壁の一部を窓にすることもできる。
この場合、参拝者は、納骨堂の前面から手を合わせることになる。
【００１９】
（実施例１０）
図１０は、本考案の実施例１０に係る納骨堂の構造斜視図である。
図１０において、１００は仏像または観音像等、１０１は納骨室、１０２はは納骨室を形成する石またはコンクリートの壁、１０３はガラスブロックまたは強化プラスチックが組み込まれた窓である。この場合、窓１０３は納骨室９１の天井に設けられているが、その他の位置、例えば石またはコンクリートの壁１０２の一部を窓にすることもできる。
この場合、参拝者は、納骨堂の端の階段を上って、納骨室１０１の上から手を合わせることになる。
【００２０】
（実施例１１）
図１１は、本考案の実施例１１に係る納骨堂の構造斜視図である。
図１１において、１１０は仏像または観音像等が納められた小建造物、１１１は納骨室、１１２は納骨室を形成する石またはコンクリートの壁、１１３は納骨室１１１の天井に設けられた、ガラスブロックまたは強化プラスチックが組み込まれた窓、１１４は記念碑である。記念碑１１４には、この納骨堂を建造した人名、団体名、年月日、納められている人の戒名などが記述される。
【００２１】
（実施例１２）
図１２は、本考案の実施例１２に係る納骨堂の構造斜視図である。
図１２において、１２１は納骨室、１２２は納骨室を形成する石またはコンクリートの壁、１２３はガラスブロックまたは強化プラスチックが組み込まれた窓である。
この場合には、参拝者は石台の上を長い距離だけ歩いて納骨室１２１の前まで行き、そこで上部の仏像または観音像等を拝むとともに、正面の下方の入口から納骨室に入って個々の納骨箱に手を合わせるか、納骨室の外から光が入射した明かるい納骨室全体に対して手を合わせる。
【００２２】
（実施例１３）
図１３は、本考案の実施例１３に係る納骨堂の構造斜視図である。
図１３において、１３０は仏像または観音像等が納められた小建造物、１３１は納骨室、１３２は納骨室を形成する石またはコンクリートの壁、１３３はガラスブロックまたは強化プラスチックが組み込まれた窓、１３４は個々の墓石である。
例えば、無縁仏となった墓石を集めて、納骨箱のみを納骨室１３１内に納める場合などが考えられる。ここでは、ガラスブロックまたは強化プラスチックが組み込まれた窓１３３は、上に向って段々と外径が小さくなっている六角型納骨室の端部天井に設けられているが、天井以外でも、側面の石材またはコンクリートの一部に窓を設けることもできる。
【００２３】
（実施例１４）
図１４は、本考案の実施例１４に係る納骨堂の構造斜視図である。
図１４において、１４０は仏像または観音像等が納められた小建造物、１４１は納骨室、１４２は納骨室を形成する石またはコンクリートの壁、１４３はガラスブロックまたは強化プラスチックが組み込まれた窓である。ここでは、窓は納骨室の天井に設けられているが、壁１４２の一部を石材またはコンクリートからガラスブロックまたは強化プラスチックを組み込んだ窓に変更することもできる。参拝者は階段を上って、仏像または観音像等を拝んでから、その傍の窓から納骨室の納骨箱を拝むことになる。納骨室１４１の内部は窓から光が入射しているため、明かるく暖かい感じを受ける。
【００２４】
（実施例１５）
図１５は、本考案の実施例１５に係る納骨堂の構造斜視図である。
図１５において、１５１が納骨室である。この場合の納骨室１５１は、階段の両側に設けられた細長い２つの建造物で構成される。１５２は納骨室を形成する石材またはコンクリートの壁、１５３は納骨室１５１の天井に設けられた窓である。ここでは、窓１５３は天井のみに設けられているが、壁１５２の一部に設けてもよい。１５４は建立されている仏像または観音像あるいは記念碑であり、１５５は背景の絵が描かれている境界壁である。
参拝者は、階段を上りながら、関係のある戒名ないし遺骨になっている人の氏名の銘板を見て、その前で手を合わせることになる。天井の窓から納骨箱が見えてもよいし、見えなくても、内部に光が入射しているだけで、明かるく暖かい感じを受ける。
【図面の簡単な説明】
【００２５】
【図１】本考案の実施例１に係る納骨堂の構造斜視図である。
【図２】本考案の実施例２に係る納骨堂の構造斜視図である。
【図３】本考案の実施例３に係る納骨堂の構造斜視図である。
【図４】本考案の実施例４に係る納骨堂の構造斜視図である。
【図５】本考案の実施例５に係る納骨堂の構造斜視図である。
【図６】本考案の実施例６に係る納骨堂の構造斜視図である。
【図７】本考案の実施例７に係る納骨堂の構造斜視図である。
【図８】本考案の実施例８に係る納骨堂の構造斜視図である。
【図９】本考案の実施例９に係る納骨堂の構造斜視図である。
【図１０】本考案の実施例１０に係る納骨堂の構造斜視図である。
【図１１】本考案の実施例１１に係る納骨堂の構造斜視図である。
【図１２】本考案の実施例１２に係る納骨堂の構造斜視図である。
【図１３】本考案の実施例１３に係る納骨堂の構造斜視図である。
【図１４】本考案の実施例１４に係る納骨堂の構造斜視図である。
【図１５】本考案の実施例１５に係る納骨堂の構造斜視図である。
【符号の説明】
【００２６】
１０，２０，３０  観音像
１１，２１，３１，４１，５１，６１，７１，８１，９１  納骨室
１０１，１１１，１２１  納骨室
１３，１４  ガラスブロックまたは強化プラスチックの組み込まれた窓
１２  扉
１５  納骨室の壁
２４，３３  ガラスブロックまたは強化プラスチックの組み込まれた窓
２２  扉
３２  納骨室を形成する石材またはコンクリートの柱
４０，５０，８０，９０，１１０  仏像または観音像が納められた小建物
４２，５２，７２  納骨室を形成する石材またはコンクリートの壁
４３，５３，６３，７３，８３，９３，１０３，１１３，１２３  光の入射する窓
６２  納骨室の屋根
【図１】
0003121716.tif 000003
【図２】
0003121716.tif 000004
【図３】
0003121716.tif 000005
【図４】
0003121716.tif 000006
【図５】
0003121716.tif 000007
【図６】
0003121716.tif 000008
【図７】
0003121716.tif 000009
【図８】
0003121716.tif 000010
【図９】
0003121716.tif 000011
【図１０】
0003121716.tif 000012
【図１１】
0003121716.tif 000013
【図１２】
0003121716.tif 000014
【図１３】
0003121716.tif 000015
【図１４】
0003121716.tif 000016
【図１５】
0003121716.tif 000017